(57)【要約】【課題】傘の長さにかかわらず使用可能であり、良好な除水性能を発揮することができるとともに長期信頼性の高い傘除水機を得ること。【解決手段】このような課題を解決するために、箱体と、箱体内部に設けられ、送風機と連通して空気を噴出するノズル部と、箱体の一面に設けられた挿入孔から挿入された傘の石突きと当接する保持部と、箱体内部に設けられたレール部と、レール部に移動自在に設けられ、保持部を支える支持部と、レール部を覆うレール保護部とを備える。【選択図】図２
2010270979.tif 000002
【特許請求の範囲】
【請求項１】
箱体と、
前記箱体内部に設けられ、送風機と連通して空気を噴出するノズル部と、
前記箱体の一面に設けられた挿入孔から挿入された傘の石突きと当接する保持部と、
前記箱体内部に設けられたレール部と、
前記レール部に移動自在に設けられ、前記保持部を支える支持部と、
前記レール部を覆うレール保護部とを備える傘除水機。
【請求項２】
ノズル部から噴出される空気流の中心軸がレール部と略平行であることを特徴とする請求項１記載の傘除水機。
【請求項３】
レール保護部は、保持部と前記保持部を支える支持部との間に設けられていることを特徴とする請求項１又は２いずれか記載の傘除水機。
【請求項４】
レール保護部は、保持部と支持部の間に形成された空間内に設けられていることを特徴とする請求項３記載の傘除水機。
【請求項５】
保持部は、挿入された傘の石突きが当接する石突き受け部と、前記石突き受け部を支えるとともに支持部を介してレール部に取り付けられる連結部とを有し、前記石突き受け部が前記連結部上の前記レール部の幅よりも狭い範囲に設けられていることを特徴とする請求項１乃至４いずれか記載の傘除水機。
【請求項６】
箱体と、
前記箱体内部に設けられ、送風機と連通して空気を噴出するノズル部と、
前記箱体の一面に設けられた挿入孔から挿入された傘の石突きに押されて移動する可動部と、
前記可動部と連動して移動するおもりと、
前記箱体内部に設けられたレール部と、
前記レール部に移動自在に設けられ、前記おもりを支える支持部と、
前記レール部を覆うレール保護部とを備える傘除水機。
【請求項７】
レール部、支持部及びおもりは、前記レール保護部内に設けられていることを特徴とする請求項６記載の傘除水機。
【発明の詳細な説明】
【技術分野】
【０００１】
本発明は傘布に付着した水滴を除去する傘除水機に関するものである。
【背景技術】
【０００２】
近年、傘布に付着した水滴を空気の力で除去する傘除水機が利用されている。雨の日に建物の中に入る際に傘除水機を利用すれば、建物内で傘から水滴が垂れにくくなり、大変便利である。
【０００３】
このような傘除水機は、空気を噴出するノズルを装置内に有し、そのノズルから噴出された空気を閉じた状態の傘の傘布表面に吹き付けて水滴を除去する。しかし、ノズルから噴出される空気に対して、傘の位置が近すぎたり遠すぎたりすると、傘布表面に十分に空気が吹き付けられず、傘布に水滴が残ってしまう場合がある。
【０００４】
そのため、例えば特開平７−３２４８５９１号公報に開示のものは、水滴の除去に適切な位置に傘を配置するために、石突き先端ストッパーがストッパーガイドレールに沿って移動することで、傘の先端位置を確定させるようになっている。
【０００５】
【特許文献１】特開平７-３２４８５９号公報
【発明の開示】
【発明が解決しようとする課題】
【０００６】
しかし、特許文献１記載の傘除水機では、ガイドレールに傘布に付着した水が飛散して付着しやすい。この付着する水は雨水であって純水ではないので乾燥するとガイドレールの特に石突き先端ストッパーと接触する部分に不純物が析出する。そうするとこの析出し固まったものが動作不良の原因となりうる。また、雨水が酸性物質を含む場合（いわゆる酸性雨）、酸がガイドレールに付着する影響により早期に腐食する恐れが生じる。
【０００７】
本発明はこのような課題を解決するためになされたものであり、雨水の影響を受けやすい部分を保護することで長期にわたり信頼性の高い傘除水機を得ることを目的とする。
【課題を解決するための手段】
【０００８】
箱体と、箱体内部に設けられ、送風機と連通して空気を噴出するノズル部と、箱体の一面に設けられた挿入孔から挿入された傘の石突きと当接する保持部と、箱体内部に設けられたレール部と、レール部に移動自在に設けられ、保持部を支える支持部と、レール部を覆うレール保護部とを備える。
【発明の効果】
【０００９】
本発明によれば、ガイドレールなどの装置の動作に大きな影響を与える部分に傘布から飛散した水が付着しにくいために、析出物付着による動作不良が生じにくくなり、長期信頼性の高い傘除水機が得られる。
【発明を実施するための最良の形態】
【００１０】
実施の形態１．
図１は、本発明の実施の形態１に係る傘除水機の外観斜視図である。図２は、本発明の実施の形態１に係る傘除水機の横断面図である。図３は、本発明の実施の形態１に係る傘除水機のＡ−Ａ線に沿う矢視断面図である。図４は、本発明の実施の形態１に係る傘除水機のＢ−Ｂ線に沿う矢視断面図である。図５は、本発明の実施の形態１に係る傘除水機のガイドレール周辺の構成図である。図６は、本発明の実施の形態１に係る傘除水機に傘を収納した状態での横断面図である。
【００１１】
図１に示すように傘除水機１は装置を前にした使用者から見て挿入孔２が斜め下方に位置するよう傾斜して設けられた天板３を有し、全体が薄い金属板からなる箱体４で構成されている。この挿入孔２には傘を挿入した際に傘の手元の位置を決める切り欠き部５が設けられている。
【００１２】
まず、この傘除水機１の横断面である図２に基づいて傘除水機１を構成する各部の構造の説明をする。傘除水機１は、大きく分けて三つの部屋から構成される。一つ目の部屋は箱体４の後方部（傘を挿入する挿入孔２が設けられている方向を前方と定義する。）に設けられ、内部に高圧の空気を生成するブロワ６が設置された送気室７である。二つ目の部屋はこの送気室７と隔壁８により仕切られて箱体４の前方部に設けられた除水室９である。三つ目の部屋はこれら送気室７及び除水室９とそれぞれ隔壁１０及び隔壁１１により仕切られて箱体４の下方部に設けられ、内部にタンク１２を有する排水室１３である。これらは、送気室７のブロワ６で高圧空気を生成し、これを濡れた傘を収納するための様々な機構を有する除水室９に送り、傘から除かれた水が排水室１３内のタンク１２に溜まるというものである。
【００１３】
各室の構成について更に詳細に説明すると、まず送気室７は、室内の上部にブロワ６が設置され、このブロワ６よりも隔壁８の低い位置に除水室９と連通する孔１４が設けられている。ブロワ６を送気室７内の上方に置くことで除水室９等から水が進入した場合でもブロワ６が浸水する自体を回避することができる。
【００１４】
次に、除水室９は、送気室７との間を仕切る隔壁８の傾斜面に設けられ、送気室７と除水室９とを連通する孔１４を囲むよう除水室９側に突出して設けられたノズル１５（ノズル部）と、一端がこのノズル１５の直ぐ上側に設けられ、他端が天板３に設けられた挿入孔２の近傍に設けられ、ノズル１５から噴出する空気流の軸方向と略平行となるように向きが設定されて、箱体４の対向する２側面にそれぞれ設けられたレール部である二つのガイドレール１６、１６（図２では点線で表されている。）と、これら二つのガイドレール１６、１６のそれぞれに沿って移動自在に設けられた二つのブラケット１７、１７と、これら二つのブラケット１７、１７を連結し、挿入孔２から挿入された傘の石突きが当接する石突き受け部１８を略中央部に設けた連結部１９と、二つのガイドレール１６、１６のそれぞれよりも広く、ブラケット１７、１７と連結部１９の両端との間に設置されたカバー（レール保護部）２０、２０と、二つのガイドレール１６、１６と天板３との間に設けられた二つの滑車２１、２１と、一端がこれら二つの滑車２１、２１の直ぐ下に設けられ、他端が除水室９と排水室１３とを仕切る隔壁１１の直ぐ上に設けられ、略鉛直方向となるように向きが設定されて、箱体４の対向する２側面にそれぞれ設けられたレール部である二つのガイドレール（おもり用ガイドレール）２２、２２と、これら二つのガイドレール２２、２２のそれぞれに沿って移動自在に設けられた二つのおもり２３、２３と、一端がブラケット１７、１７に取り付けられた後述するスライダ２４、２４と接続され、他端が滑車２１、２１を介しておもり２３、２３と接続されたケーブル２５、２５とを内部に備える。なお、おもり２３、２３の重さの下限は、連結部１９に取り付けられた各部品の総重量（ブラケット１７等）によりガイドレール１６、１６に沿ってスライダ２４、２４が斜め下方（矢印Ｚの方向）に移動しようとする力に対抗して、おもり２３、２３が下方に移動するのに十分な重さである。一方、おもり２３、２３の重さの上限は、傘を露先まで挿入した状態で石突き受け部１８が矢印Ｙの方向に自然に移動してしまわない重さである。
【００１５】
この除水室９内の構造について、図２中のＡ−Ａ線での断面を図示した図３でさらに説明する。この断面図で示すように挿入孔２と、断面が台形状の石突き受け部１８と、ノズル１５とがほぼ一直線上に並んでいる。また、石突き受け部１８が固定されている板状の連結部材１９の両側にはブラケット１７、１７が取り付けられており、このブラケット１７、１７がガイドレール１６、１６の周りに被さるような構造となっている。また、カバー２０、２０もブラケット１７、１７により周りを覆われるような構造となっている。なお、これらカバー２０、２０は両端が除水室９の隔壁８と天板３とに接するまで長くしなくても、実質的にガイドレール１６、１６に水滴が付着しない程度に長ければ良い。
【００１６】
また、この連結部１９とガイドレール１６、１６との関係について、図３中のＢ−Ｂ線での断面を示した図４でさらに説明する。長方形状の連結部１９のほぼ中心に石突き受け部１８が設けられ、この連結部１９の両端と接触しない位置にカバー２０、２０が設けられている。この連結部１９とガイドレール１６、１６とは、連結部１９の端部を挟み、内部の空間にカバー２０、２０を非接触状態で収納するように構成されているブラケット１７、１７とこれら両ブラケット１７、１７の両端に固定されたスライダ２４、２４を介して移動自在な状態となるように配設されている。実際にガイドレール１６、１６と係り合うのは断面が長方形状のスライダ２４、２４だけであり、内部に空間を有するガイドレール１６、１６により四辺を規制され、スライダ２４、２４がガイドレール内部を摺動することで連結部１９が移動する。このとき、相対するガイドレール１６、１６の両端をそれぞれ結んだ直線ｍ、直線ｎとガイドレール１６、１６とで形成される長方形の内側に石突き受け部１８が設けられている。こうすることで、傘を挿入した時に傘の石突きによる石突き受け部１８を押す力に起因するモーメントが発生しにくくなり、ガイドレール１６、１６内のスライダ２４、２４の動作不良やロックが起こりにくくなっている。つまり、連結部１９が傘で押された場合に、石突き受け部１８の取り付け位置によっては連結部１９がねじれて斜めに動こうとして、スライダ２４、２４がガイドレール１６、１６に引っかかって動かなくなってしまうことがありうるため、これを防止するものである。このような構造を有するガイドレール１６、１６の幅Ｆ（実際の摺動部であるスライダ２４とブラケット１７とを連絡するための開口部はさらに狭い）よりもカバー２０の幅Ｇを大きくしたため水滴の付着防止をより広い範囲で可能としている。
【００１７】
さらに、カバー２０等とガイドレール１６との関係についてガイドレール周辺の構成図である図５に基づいて説明する。この図で、ブラケット１７は、カバー２０の裏側から両側に延び、カバー２０からある程度の距離のところで折り曲げられて図示しない連結部１９と先端が接続されている。カバー２０は四隅がネジによって固定されている。カバー２０及びブラケット１７の裏側にはガイドレール１６があり、このガイドレール１６のカバー２０側に開口した部分の内側にスライダ２４が配置されている。ブラケット１７とスライダ２４が一体となってガイドレール１６上を移動可能な距離をＪとすると、カバー２０の距離Ｋはこれよりも十分長く、水滴の浸入を広い範囲で防止している。
【００１８】
このように、本願発明の実施の形態１におけるガイドレール１６、１６では雨水が付着しないようにするためにカバー２０、２０を設けたが、雨水の発生源である傘はガイドレール１６、１６の間を移動する連結部１９上に置かれることになるため、単にガイドレール１６、１６を完全に覆うカバーを設けると、このカバーが連結部１９の移動を妨げることになる。そのため、両側から２本の継ぎ手が突出する構造のブラケット１７で連結部１９の端部を挟み込むようにし、その継ぎ手間にカバー２０が位置するようにする。したがって、カバー２０の幅を連結部１９の幅に近づけることができて防水性が高まる。
【００１９】
最後に、排水室１３は、送気室７とは隔壁１０により完全に仕切られているが、除水室９とは、除水室９と排水室１３との間に前方から後方に向かって低くなるように傾斜させた隔壁１１の最も低くなる部分に設けた排水口２６で連通し、水を受けるタンク１２が設置されている。
【００２０】
続いて、この傘除水機１に傘を収納した場合の横断面である図６を主として用いて除水運転の動作と各部の機能の説明をする。傘除水機１の使用者はこの装置の天板３に対向する位置に立ち、手持ちの傘２７の手元（持ち手部）２８を掴んで、天板３に設けられた挿入孔２から傘２７の石突き２９を突っ込むように挿入する。このとき、石突き２９が除水室９内に設けられた連結部１９上の石突き受け部１８に収まるように入れる向きを調整する。実際には傘２７を挿入する場合、石突き受け部１８の位置は図２の状態よりもさらに挿入孔２寄りとなっている上、挿入孔２は斜め上方向に向かって開口しているので装置内部の採光性が良く、使用者は石突き受け部１８の位置を確認しやすい。また、図示するように石突き受け部１８の底面３０の面積に対して開口部３１の開口面積の方が広くすることでさらに石突き２９が挿入しやすくなっている。
【００２１】
石突き２９の先端が石突き受け部１８の底面３０と当接したら、そのまま手元２８を持って傘２７を前方斜め下向きに押していく。この動作により石突き２９から力を受けた連結部１９とこれを支えるブラケット１７、１７およびこれらに取り付けられたスライダ２４、２４がガイドレール１６、１６上を前方斜め下、つまり、ノズル１５に向かって移動する。このとき、前述したようにスライダ２４、２４はケーブル２５、２５によっておもり２３、２３と接続されているため、おもり２３、２３を持ち上げる程度の力を入れないと連結部１９は動かない。使用者は傘２７の傘布３２が完全に除水室９内に収まるように露先３３が挿入孔２を超えるまで押し入れる。そこまでしてから使用者が傘２７から手を離すと手元２８が切り欠き部５に載置される。手元２８が切り欠き部５に載置されると、石突き受け部１８と切り欠き部５とで除水室９内の傘２７が斜めになった状態に支持される。なお、石突き受け部１８と連結部１９とから構成され、挿入された傘２７を保持する機能の一部又は全部を担う機構を保持部とし、ブラケット１７、１７とスライダ２４、２４とから構成され、挿入された傘２７からの力を受けガイドレール１６、１６に規制されて移動するとともに保持部を支持する機構を支持部とし、保持部と支持部を合わせたものを可動部とする。
【００２２】
次に使用者は傘除水機１の図示しない運転スイッチを押す。これによりブロワ６が運転状態となり、図示しないブロワ６の吸込口から空気が吸込まれ、吐出口から送気室７に吐出され、隔壁８に形成されたノズル１５から除水室９内に空気流として噴出される。
【００２３】
このノズル１５から除水室９内に噴出される空気流は収納された傘２７の石突き２９から露先３３に向かう流れ（図３における矢印Ｘの向き）を形成する。この空気流は図に示すようにノズル１５が石突き受け部１８よりも下方に設けられていることから斜めに支持された傘２７の下側の傘布３２に付着した水滴を吹き飛ばす。そのため、傘布３２全体に付着した水滴をまんべんなく吹き飛ばすには、挿入孔２から除水室９の外部に突出している傘２７の手元２８を回転させる必要があるが、切り欠き部５と石突き受け部１８の２点で傘２７が支持されているので、傘２７を回転させても中心軸３４はほとんどぶれず、良好な除水生能を維持できる。さらに、挿入孔２から挿入されて切り欠き部５と石突き受け部１８とで支持される傘２７の中心軸３４が、ノズル１５から噴出される空気流の方向（矢印Ｘの方向）と略平行なので、中心軸３４とノズル１５からの空気流との距離を略一定に保持でき、傘２７の長さによる除水性能の変動を抑えることができる。
【００２４】
このようにノズル１５が石突き受け部１８よりも下方に設けられ、空気流が主として傘２７の下側に当たって水を除く構成としたことで、傘２７を回転させても水滴は傘２７の中心軸の上方よりも下方である排水室１３側に多く飛散することになる。すなわち、傘２７の中心軸に沿うように設けられたガイドレール１６、１６よりも上方に飛散してカバー２０、２０の上方から回り込んでガイドレール１６、１６に浸入する水滴は少ない。また、傘２７よりも下方に飛散する水滴がカバー２０、２０の下方から回り込んでガイドレール１６、１６に浸入することは傘２７を回転させながら空気流で除水する構造からして起こりにくい。したがって、この実施の形態１で例示したようにカバー２０、２０を平板で構成しても問題がない。もっとも、連結部１９の移動に支障を生じさせない範囲で、カバー２０、２０の両端を折り曲げるなどして防水機能を高めても問題ない。
【００２５】
このような構成とするためには、ガイドレール１６、１６とノズル１５の向き（つまり、ノズル１５から噴出される空気流の中心軸）とが略平行であってノズル１５がガイドレール１６、１６よりも下方に位置することが必要となる。さらに、後述するように連結部１９の動作を安定させるために石突き受け部１８がガイドレール１６、１６間に位置するようにする方がよい。
【００２６】
また、石突き受け部１８はおもり２３の作用により、挿入孔２に向かう方向（図２における矢印Ｙの向き）に付勢されているので、石突き２９との密着がよい。したがって、除水室９内に傘２７が収容されている間に石突き受け部１８から石突き２９が外れにくくなっている。
【００２７】
このようにして、水滴の除去が終了したら、図示しない停止スイッチを押してブロワ６を停止して傘２７を除水室９から取り出す。このとき、石突き受け部１８から石突き２９が退避するため、石突き受け部１８を押し下げていた力が無くなり、石突き受け部１８はおもり２３に引っ張られて挿入孔２の方向（図２における矢印Ｙの向き）に移動し、傘２７が挿入される前の位置に自動的に復帰する。
【００２８】
このように石突き受け部１８とおもり２３とを接続した構成であるため、除水室９内に収容される傘２７の長さに応じて石突き受け部１８の位置を自由に移動させることができる。したがって、除水室９内に収容される傘の長さに応じて切り欠き部５と石突き受け部１８との距離を変更することができ、様々な長さの傘であっても切り欠き部５と石突き受け部１８とで支持し、位置決めすることができる。
【００２９】
また、傘２７を挿入孔２から除水室９内に押し込めば石突き受け部１８が前方斜め下方向（図２における矢印Ｚの向き）に移動し、傘２７を除水室９から取り出せば石突き受け部１８が自然に元の位置に復帰するため、利用者にとって特別な操作が不要な便利なものとなる。さらに、石突き受け部１８の移動に電気的な装置を使用しておらず、消費電力の抑制や製造コストの抑制を図ることができる。またガイドレール１６に水滴が付着しないようレール保護部１９を備えているので、長期信頼性の高い動作が可能となる。
【００３０】
なお、本実施の形態１では、スライダ２４、２４のそれぞれにおもり２３が連結されているが、いずれか一方のスライダ２４にだけおもり２３が連結されているものであってもよい。おもり１個の重量は増すが、部品点数の削減により製造コストの低減等を図ることができる。
【００３１】
また、本実施の形態１においては、傘布３２から吹き飛ばされた水滴をタンク１２に一旦溜めているが、排水室１３に配管を接続し、水滴を溜めることなく排水できるようにしてもよい。タンク１２に溜まった水をわざわざ捨てる必要がなくなり便利である。
【００３２】
なお、保持部及び支持部とカウンターバランスをとって、これを必要な位置に動かすものとしておもりを用いているが、これは必ずしもおもり機能だけを持つものである必要はない。他の機能を有するものであっても、結果としておもりの役割を果たすもので有れば十分である。
【００３３】
また、ガイドレール１６、１６とガイドレール２２、２２とを別部品で構成しているが、一組のガイドレールでも途中で折り曲げることで両方のガイドレールの機能を持たせることができる。
【００３４】
実施の形態２．
図７は、本発明の実施の形態２に係る傘除水機１の横断面図である。図８は、本発明の実施の形態２に係る傘除水機のおもりとガイドレールとの関係を示す断面図である。図９は、本発明の実施の形態２に係る傘除水機のおもりとガイドレール周辺の構成図である。なお、実施の形態１と同じ構成については、実施の形態１と同じ符号を用い、それらについての説明は省略する。
【００３５】
図７に示すように実施の形態２では実施の形態１でも説明したおもりの動きを規制するガイドレール２２、２２にもレール保護部であるカバー３５、３５を設けて、雨水によるガイドレール２２、２２への影響を防ごうとするものである。なお、この図では前述した石突き受け部１８の移動を規制するガイドレール１６、１６にはレール保護部であるカバーが設けられていないが、これは実施の形態２の内容を説明する上で図が複雑になりすぎるのを避けたためで、実際にはカバー２０、２０が設けられている。
【００３６】
このおもりとガイドレール等の関係を断面図である図８を用いて示す。カバー３５により三面を覆われた内側に設けられ、おもり２３の一側面に取り付けられたブラケット３６は、この一側面と対向する他の一側面にスライダ３７が取り付けられ、このスライダ３７が実施の形態１で説明したケーブル２５と接続されていてガイドレール２２内を摺動自在となっている。このカバー３５の幅Ｍはガイドレールの幅Ｌよりも当然広く、水滴の付着を広範囲で防止できるようになっている。なお、ブラケット３６、３６及びスライダ３７、３７を合わせておもり２３、２３の支持部とする。
【００３７】
さらに、カバー３５等とガイドレール２２との関係についてガイドレール周辺の構成図である図９に基づいて説明する。この図で、ブラケット３６は、カバー３５の裏側でおもり２３と接続されている。カバー３５は四隅がネジによって固定されている。カバー３５の裏側にはガイドレール２２があり、このガイドレール２２のカバー３５側に開口した部分の内側にスライダ３７が配置されている。ブラケット３６とスライダ３７が一体となってガイドレール２２上を移動可能な距離をＮとすると、カバー２０の距離Ｒはこれよりも十分長く、水滴の浸入を広い範囲で防止している。
【００３８】
この実施の形態２では実施の形態１と違い対向するように配設されたおもり２３、２３間を接続する必要が無いため、おもり２３、２３を含めたガイドレール２２、２２の周囲をカバー３５、３５で囲む構造としている。言い換えれば、カバー３５、３５内部にガイドレール２２、２２を設け、そこをおもり２３、２３が移動するものである。このような構成とする理由は、前述したようにおもり２３、２３間を接続する必要が無こともあるが、この部分は挿入孔２の直ぐ下でもあるため、傘を挿入する動作中に傘から落ちてくる水滴の影響を受けたり、ノズル１５からの空気流で運ばれてくる水滴の影響を受けやすい位置であるためである。
【００３９】
なお、実施の形態１及び２では斜めに挿入する傘除水機を例に説明したが、挿入方向や移動方向は斜めではなく、水平方向でも垂直方向でもこれらを組合せた方向に挿入や移動を行う傘除水機であっても同様の効果が得られる
【図面の簡単な説明】
【００４０】
【図１】本発明の実施の形態１に係る傘除水機の外観斜視図である。
【図２】本発明の実施の形態１に係る傘除水機の横断面図である。
【図３】本発明の実施の形態１に係る傘除水機のＡ−Ａ線に沿う矢視断面図である。
【図４】本発明の実施の形態１に係る傘除水機のＢ−Ｂ線に沿う矢視断面図である。
【図５】本発明の実施の形態１に係る傘除水機のガイドレール周辺の構成図である。
【図６】本発明の実施の形態１に係る傘除水機に傘を収納した状態での横断面図である。
【図７】本発明の実施の形態２に係る傘除水機１の横断面図である。
【図８】本発明の実施の形態２に係る傘除水機のおもりとガイドレールとの関係を示す断面図である。
【図９】本発明の実施の形態２に係る傘除水機のおもりとガイドレール周辺の構成図である。
【符号の説明】
【００４１】
１  傘除水機、  ２  挿入孔、  ３  天板、  ４  箱体、  ５  切り欠き部、  ６  ブロワ、  ７  送気室、  ８  隔壁、  ９  除水室、  １０  隔壁、  １１  隔壁、  １２  タンク、  １３  排水室、  １４  孔、  １５  ノズル、  １６  ガイドレール、  １７  ブラケット、  １８  石突き受け部、  １９  連結部、  ２０  カバー、  ２１  滑車、  ２２  ガイドレール、  ２３  おもり、  ２４  スライダ、  ２５  ケーブル、  ２６  排水口、  ２７  傘、  ２８  手元、  ２９  石突き、  ３０  底面、  ３１  開口部、  ３２  傘布、  ３３  露先、  ３４  中心軸、  ３５  カバー、  ３６  ブラケット、  ３７  スライダ。
【図１】
2010270979.tif 000003
【図２】
2010270979.tif 000004
【図３】
2010270979.tif 000005
【図４】
2010270979.tif 000006
【図５】
2010270979.tif 000007
【図６】
2010270979.tif 000008
【図７】
2010270979.tif 000009
【図８】
2010270979.tif 000010
【図９】
2010270979.tif 000011